(57)【特許請求の範囲】
【請求項１】
結束機本体と、
前記結束機本体に回動可能に取り付けられ、前記結束機本体からテープを引き出すと共に当該テープにより架け回された被結束物を結束処理するクリンチャアームと、
前記クリンチャアームにより結束処理される前記テープを切断する切断部と、を備え、
前記切断部は、
前記テープを切断する刃と、
前記刃を前記結束機本体の所定位置にロックするロック機構と、を有し、
前記ロック機構は、前記刃を前記結束機本体にロックおよびロック解除する操作部を有し、
前記操作部は、前記結束機本体の前端部に設けられる
ことを特徴とする園芸用結束機。
【請求項２】
前記操作部は、前記刃の引き抜き方向とは重ならない位置に設けられる
ことを特徴とする請求項１に記載の園芸用結束機。
【請求項３】
前記結束機本体の前部に設けられ、前記テープを案内する案内部を備え、
前記刃は、前記ロック機構により前記案内部にロックされる
ことを特徴とする請求項１に記載の園芸用結束機。
【発明の詳細な説明】
【技術分野】
【０００１】
本発明は、園芸用結束機に関する。
【背景技術】
【０００２】
従来から、果樹や野菜等の枝やつるを支柱に結束したり、野菜同士や袋同士を束ねたりする際に園芸用結束機が広く利用されている。園芸用結束機では、クリンチャアームの開閉動作によりテープを結束機本体から引き出してクリンチャアームと結束機本体との先端部間にテープを張った状態とし、この状態で結束機本体を前方に押し出して被結束物をテープにより掛け回した後、クリンチャアームを再度閉じることでテープをステープルにより綴じると共に切断刃によりテープを切断する、という一連の工程により結束処理を行っている。
【０００３】
例えば、特許文献１には、ドライバハンドル（結束機本体）の先端部にノッチ刃形状のカッター刃が取り付けられた園芸用結束機が記載されている。一般に、カッター刃は、ドライバハンドルに設けられた板バネと板金との間に挟持されることによりドライバハンドルに保持される。カッター刃の交換時には、ユーザーがラジオペンチ等によりカッター刃をつかんでバネ力以上の力で引くことで、カッター刃をドライバハンドルから引き抜いている。
【先行技術文献】
【特許文献】
【０００４】
【特許文献１】特開２００３−３４１６１３号公報
【発明の概要】
【発明が解決しようとする課題】
【０００５】
しかしながら、特許文献１に記載の園芸用結束機等では以下のような問題がある。すなわち、上述したように、切断刃は簡易な手段で結束機本体に保持しているので、結束時に誤って切断刃に茎や支柱が刺さった場合、切断刃が結束機本体から抜けてしまうという問題があった。また、切断刃を板バネと板金との間に挟む構造となっているため、切断刃を正確な位置で保持できない場合がある。この場合、切断位置がずれてしまい、テープの切断を正常に行うことができないという問題があった。
【０００６】
そこで、本発明は、上記課題に鑑みてなされたものであり、結束作業時の意図しない切断刃の抜けを防止すると共に、正確な位置で切断刃を保持することが可能な園芸用結束機を提供することにある。
【課題を解決するための手段】
【０００７】
本発明に係る園芸用結束機は、結束機本体と、前記結束機本体に回動可能に取り付けられ、前記結束機本体からテープを引き出すと共に当該テープにより架け回された被結束物を結束処理するクリンチャアームと、前記クリンチャアームにより結束処理される前記テープを切断する切断部と、を備え、前記切断部は、前記テープを切断する刃と、前記刃を前記結束機本体の所定位置にロックするロック機構と、を有し、前記ロック機構は、前記刃を前記結束機本体にロックおよびロック解除する操作部を有し、前記操作部は、前記結束機本体の前端部に設けられるものである。
【０００８】
前記ロック機構は、前記刃を前記結束機本体にロックおよびロック解除する操作部を有し、前記操作部は、前記刃の引き抜き方向とは異なる位置に設けられるものである。
【００１０】
前記結束機本体の前部に設けられ、前記テープを案内する案内部を備え、前記刃は、前記ロック機構により前記案内部にロックされるものである。
【発明の効果】
【００１１】
本発明によれば、テープを切断する刃をロック機構により結束機本体の所定位置に固定するので、切断刃の抜けを防止できると共に、切断刃を正確な位置に取り付けることができる。
【図面の簡単な説明】
【００１２】
【図１】本発明の一実施の形態に係る園芸用結束機の構成例を示す斜視図である。
【図２】園芸用結束機の構成例を示す正面図である。
【図３】園芸用結束機の構成例を示す断面図である。
【図４】園芸用結束機におけるテープ引き出し時の状態を示す断面図である。
【図５】園芸用結束機におけるテープ切断時の状態を示す断面図である。
【図６】本発明の第１の実施の形態に係るテープ切断部の構成例を示す斜視図である。
【図７】テープ切断部の構成例を示す断面図である。
【図８】リリースボタンの構成例を示す図である。
【図９】切断刃の構成例を示す図である。
【図１０】リリースボタンの押圧状態に応じたロック機構の動作例を示す図である。
【図１１】リリースボタンを押していない場合のロック機構の動作例を示す図である。
【図１２】リリースボタンを押した場合のロック機構の動作例を示す図である。
【図１３】本発明の第２の実施の形態に係るテープ切断部の構成例を示す斜視図である。
【発明を実施するための形態】
【００１３】
以下に添付図面を参照しながら、本発明の好適な実施の形態について詳細に説明する。
【００１４】
＜第１の実施の形態＞  
［園芸用結束機１００の構成例］  
図１は第１の実施の形態に係る園芸用結束機１００の構成の一例を示す斜視図であり、図２はその正面図であり、図３はその断面図である。図１〜図３において、紙面の右側を園芸用結束機１００の前側とし、紙面の左側を園芸用結束機１００の後側とする。
【００１５】
図１〜図３に示すように、手持ち工具としての園芸用結束機１００は、クリンチャアーム１０と、結束機本体４０と、ハンドル１２と、テープ引き出し部２０と、テープ搬送部４２と、テープ切断部５０Ａと、ステープルマガジン部６０と、テープマガジン部８０とを備えている。
【００１６】
クリンチャアーム１０は、その後端部が結束機本体４０に回動可能に取り付けられると共に、引っ張りばね１６により後方側に付勢されている。ハンドル１２は、ユーザーが把持する部位であり、その略中間部がクリンチャアーム１０に回動可能に取り付けられ、その前端部が結束機本体４０に回動可能に取り付けられている。このような構成により、ハンドル１２の開閉動作に伴い、ハンドル１２の梃子の原理によりクリンチャアーム１０が結束機本体４０に対して相対的に開閉動作するようになっている。
【００１７】
テープ引き出し部２０は、結束機本体４０からテープＴＰを引き出すための機構であり、クリンチャアーム１０の先端部に設けられている。テープ引き出し部２０は、ロックプレート２２と、テープキャッチ２４と、テーププレート２６とを有している。
【００１８】
ロックプレート２２は、一端側に設けられた軸部２２ａを支点として回動可能に構成されると共に、他端側がコイルばね２３によりテープキャッチ２４側に付勢されている。ロックプレート２２は、コイルばね２３の付勢により、テープキャッチ２４に係合することでテープキャッチ２４をロックし、テープキャッチ２４をテーププレート２６から離間した位置で固定する。
【００１９】
テープキャッチ２４は、軸部２４ａを支点として回動可能に設けられると共に、ねじりコイルばね２５によりテーププレート２６側に付勢されている。テープキャッチ２４は、テープの引き出し時にロックプレート２２によるロックが解除されると、ねじりコイルばね２５の付勢により、先細り形状をなす先端部２４ｂがテーププレート２６側に移動する。
【００２０】
テーププレート２６は、テープキャッチ２４に対向するように配設され、その先端部がロックプレート２２から結束機本体４０側に延出している。テーププレート２６は、延出した部位とテープキャッチ２４とでテープＴＰを挟持し、クリンチャアーム１０の戻り（開）動作に伴ってテープＴＰをテープガイド４６から上方側に引き出す。
【００２１】
テープ搬送部４２は、テープホルダ４４と、テープガイド４６とを有している。テープホルダ４４は、テープマガジン部８０からテープガイド４６までテープを搬送するための経路であり、結束機本体４０の長手方向に沿って敷設されている。また、テープホルダ４４は、長手方向の一辺側を支点として開閉可能に構成され、テープＴＰのセット作業が容易に行えるようになっている。テープガイド４６は、結束機本体４０（テープホルダ４４）の前端部に回動可能に設けられ、テープの先端部をテープガイド４６から上方側に引き出した状態で保持する。
【００２２】
テープ切断部５０Ａは、テープＴＰを切断する切断刃５１と、切断刃５１をロックおよびロック解除するためのロック機構５２とを有している。切断刃５１は、ロック機構５２によりテープガイド４６の所定位置に固定されると共に、ロック機構５２の解除によりテープガイド４６から引き抜くことができるようになっている。なお、テープ切断部５０Ａの構成や機能については後述する。
【００２３】
ステープルマガジン部６０は、結束機本体４０の上面側に取り付けられ、接着連結されたステープルが装填される。ステープルマガジン部６０は、クリンチャアーム１０の開閉動作によりステープルを打ち出してテープＴＰの重なり部分を綴じ処理する。
【００２４】
テープマガジン部８０は、結束機本体４０の後端部に取り付けられ、テープＴＰが巻き回されたテープロールを収容する。テープマガジン部８０は、クリンチャアーム１０の開閉動作に基づくテープＴＰの引き出し動作により正回転し、テープＴＰをテープ搬送部４２に送り出す。
【００２５】
［園芸用結束機１００の動作例］  
次に、本発明に係る園芸用結束機１００の結束処理時における動作の一例について説明する。図４は、園芸用結束機１００におけるテープＴＰの引き出し時の状態を示す断面図である。図５は、園芸用結束機１００におけるテープＴＰの切断時の状態を示す断面図である。
【００２６】
図１〜図５を参照すると、ユーザーによりハンドル１２が握り込まれると、クリンチャアーム１０が結束機本体４０に接近する方向に移動（降下）する。これにより、ロックプレート２２が結束機本体４０側のテープガイド４６に当接してロックプレート２２が押し上げられることで、ロックプレート２２によるテープキャッチ２４のロックが解除される。
【００２７】
テープキャッチ２４のロックが解除されると、テープキャッチ２４がテーププレート２６側に回動し、テープＴＰがテープキャッチ２４の先端部２４ｂによりテープガイド４６に押し付けられる。
【００２８】
続けて、ユーザーによりハンドル１２の握りが解除されると、クリンチャアーム１０が結束機本体４０から離れる方向に移動（上昇）する。これに伴い、図４に示すように、テープキャッチ２４がテープガイド４６からテーププレート２６に乗り移り、テーププレート２６とテープキャッチ２４とでテープＴＰが挟持された状態でテープガイド４６から上方側に引き出される。また、クリンチャアーム１０の上昇に伴い、ロックプレート２２とテープキャッチ２４とが係合状態とされる。
【００２９】
続けて、結束機本体４０の前方に押し出しにより野菜等の枝や支柱（以下、枝および支柱をまとめて結束物３００という）にテープＴＰが押し付けられてクリンチャアーム１０内に結束物３００が取り込まれる。
【００３０】
続けて、ユーザーによりハンドル１２が再度強く握られると、クリンチャアーム１０が結束機本体４０に接近する方向に移動（降下）し、結束物３００にテープＴＰが掛け回される。
【００３１】
クリンチャアーム１０の降下に伴い、テープガイド４６がテープキャッチ２４の対向する傾斜面に沿って移動していき、移動が規制される位置まで到達すると、テープキャッチ２４がテーププレート２６から離れる方向（前部側）に回動する。これに伴い、テープガイド４６も前部側に回動する。
【００３２】
テープガイド４６の回動に伴い、図５に示すように、切断刃５１も回動してその先端側に設けられた歯がテープＴＰに突き刺さることによりテープＴＰが切断される。また、クリンチャ３０がステープルマガジン本体６２を押圧し、ステープルマガジン本体６２が後端部を支点として傾動することで、ドライバ７８により射出口からステープルが打ち出され、テープＴＰの重なり部分がステープルによって綴じられる。本実施の形態では、このような一連の工程により、結束物３００の結束作業が行われる。
【００３３】
［テープ切断部５０Ａの構成例］  
図６はテープ切断部５０Ａの構成の一例を示す斜視図であり、図７はその断面図である。図６および図７に示すように、テープ切断部５０Ａは、切断刃５１と、ロック機構５２とを有している。
【００３４】
まず、ロック機構５２について説明する。ロック機構５２は、切断刃５１をテープガイド４６の所定位置にロックしたり、切断刃５１のロックを解除したりする機構である。ロック機構５２は、リリースボタン５４と、コイルばね５６と、ばね支持部材５８とを有している。
【００３５】
リリースボタン５４は、テープガイド４６の前面部であって、切断刃５１の引き抜き方向Ｄとは重ならない位置（ずれた位置）に配置されている（図６，図７参照）。図８（Ａ）はリリースボタン５４の構成の一例を示す側面図であり、図８（Ｂ）はその平面図である。図６、図７、図８（Ａ）および図８（Ｂ）に示すように、リリースボタン５４は、円柱体５４ａと、円柱体５４ａの後端部（基端部）に一体形成されると共に円柱体５４ａの直径Ｘ１よりも大きい直径Ｘ２からなる拡径部５４ｂとを有している。リリースボタン５４の円柱体５４ａはテープガイド４６に形成された貫通孔４６ａから前方側に突出して設けられると共に、リリースボタン５４の拡径部５４ｂは貫通孔４６ａの開口周縁部によって係止される。これにより、リリースボタン５４のテープガイド４６からの前方への抜けが防止される。なお、リリースボタン５４は、操作部の一例に相当している。
【００３６】
ばね支持部材５８は、コイルばね５６を支持するための部材であり、切断刃５１の後方側の結束機本体４０に取り付けられている。ばね支持部材５８は、結束機本体４０の左右方向に延びる軸部５８ａを有している。軸部５８ａには、コイルばね５６が装着されている。
【００３７】
コイルばね５６は、２個のねじりコイルばねを接続したいわゆるダブルトーションばねにより構成されている。コイルばね５６は、リリースボタン５４の拡径部５４ｂに当接してリリースボタン５４を前方側に付勢し、コイルばね５６をテープガイド４６から前方側に突出させた状態で弾性的に支持する。なお、本実施の形態では、リリースボタン５４の付勢手段として、コイルばね５６を用いたが、これに限定されることはなく、板ばねや圧縮ばね等の弾性部材を用いることもできる。
【００３８】
次に、切断刃５１について説明する。図９は、切断刃５１の構成の一例を示している。図９に示すように、切断刃５１は、先端部に形成された鋸歯形状の歯５１ａと、基端部に形成された凹部５１ｂとを有している。凹部５１ｂは、リリースボタン５４の形状に対応して略円形状に切り欠かれている。凹部５１ｂの幅Ｙ１は、リリースボタン５４の拡径部５４ｂの直径Ｘ２と略同一の長さに選定される。凹部５１ｂの幅Ｙ２は、リリースボタン５４の円柱体５４ａの直径Ｘ１よりも大きくなるように選定される。
【００３９】
［テープ切断部５０Ａの動作例］  
図１０（Ａ）はリリースボタン５４を押していない場合のロック機構５２の状態を示す斜視図であり、図１０（Ｂ）はリリースボタン５４を押した場合のロック機構５２の状態を示す斜視図である。図１１（Ａ）はリリースボタン５４を押していない場合の状態をロック機構５２の後方側から見た斜視図であり、図１１（Ｂ）はその平面図である。図１２（Ａ）はロックを解除して切断刃５１を引き抜く際の状態をロック機構５２の後方側から見た斜視図であり、図１２（Ｂ）はその平面図である。
【００４０】
図１０（Ａ）、図１１（Ａ）および図１１（Ｂ）に示すように、リリースボタン５４が押されていない状態では、切断刃５１の凹部５１ｂ内にリリースボタン５４の拡径部５４ｂが位置するので、切断刃５１の凹部５１ｂがリリースボタン５４の拡径部５４ｂに引っ掛かった状態となる（係止される）。これにより、切断刃５１がテープガイド４６内の最適な位置でロックされる。
【００４１】
図１０（Ｂ）、図１２（Ａ）および図１２（Ｂ）に示すように、ユーザーによりリリースボタン５４が押されると、リリースボタン５４がコイルばね５６の付勢力に抗して後方側に移動する。これにより、切断刃５１の凹部５１ｂ内に、凹部５１ｂの幅Ｙ２よりも小さい直径Ｘ１のリリースボタン５４の円柱体５４ａが位置するので、切断刃５１のリリースボタン５４によるロックが解除される。この状態で、切断刃５１が外側に引っ張られると、切断刃５１の凹部５１ｂがリリースボタン５４をすり抜けが可能となり、切断刃５１の結束機本体４０からの引き抜きを行うことができる。
【００４２】
以上説明したように、第１の実施の形態によれば、ロック機構５２のリリースボタン５４をテープガイド４６の前面側に設けるので、ユーザーはリリースボタン５４を目視しながら切断刃５１の交換作業を行うことができる。これにより、切断刃５１の交換作業の効率化を図ることができる。また、切断刃５１の引き抜き方向Ｄとはずれた位置にリリースボタン５４を設けるので、リリースボタン５４を押圧するユーザーの指が切断刃５１の引き抜き方向Ｄに位置することを回避でき、切断刃５１がユーザーの指に当たってしまうことを防止できる。
【００４３】
また、第１の実施の形態によれば、予め位置決めされたリリースボタン５４により切断刃５１をロックするので、切断刃５１を装着する際の位置決めを確実に行うことができる。また、テープの切断を効率的に行うことができる最適な位置に切断刃５１を設置できる。これらにより、テープを正確かつ確実に切断することができる。
【００４４】
さらに、第１の実施の形態によれば、リリースボタン５４によって切断刃５１をロックするので、従来のように板バネや板金で切断刃５１を挟んで保持する場合と比べて、切断刃５１の意図しない抜けを防止することができる。例えば、結束時に誤って切断刃５１に茎や支柱が刺さった場合でも切断刃５１の結束機本体４０からの抜けを確実に防止することができる。
【００４５】
＜第２の実施の形態＞  
第２の実施の形態では、ロック機構５２について第１の実施の形態とは異なる構成を採用している。なお、その他の園芸用結束機１００の構成や動作は、上記第１の実施の形態と同様であるため、共通の構成要素には同一の符号を付し、詳細な説明は省略する。
【００４６】
図１３は、テープ切断部５０Ｂの構成の一例を示している。図１３（Ａ）は切断刃５１がロック機構５２によりロックされている状態を示す図であり、図１３（Ｂ）は切断刃５１のロック機構５２によるロックが解除された状態を示す図である。
【００４７】
図１３（Ａ）および図１３（Ｂ）に示すように、テープ切断部５０Ｂは、切断刃５１と、ロック機構５２とを備えている。切断刃５１は、先端部に形成された歯５１ａの他に、側面部のそれぞれに略Ｕ字形状に切り欠かれた凹部５１ｃ，５１ｄを有している。
【００４８】
ロック機構５２は、切断刃５１のロックおよびロック解除を行うリリースアーム５４ｃ，５４ｄを有している。なお、リリースアーム５４ｃ，５４ｄは、操作部の一例に相当している。
【００４９】
リリースアーム５４ｃは、短辺部と長辺部とを含む略Ｌ字形状の棒状部材からなり、その中央部を支点として回動可能に構成されている。リリースアーム５４ｃはコイルばね等の弾性部材５５ａにより凹部５１ｃ側に付勢されており、リリースアーム５４ｃの短辺部が凹部５１ｃに係合している。リリースアーム５４ｃの長辺部の端部は、ユーザーが操作する操作部として機能し、操作し易いようにテープガイド４６から突出して設けられている。
【００５０】
同様に、リリースアーム５４ｄは、短辺部と長辺部とを含む略Ｌ字形状の棒状部材からなり、その中央部を支点として回動可能に構成されている。リリースアーム５４ｄは弾性部材５５ｂにより凹部５１ｄ側に付勢されており、リリースアーム５４ｄの短辺部が凹部５１ｄに係合している。リリースアーム５４ｄの長辺部の端部は、ユーザーが操作する操作部として機能し、操作し易いようにテープガイド４６から突出して設けられている。
【００５１】
次に、切断刃５１のロックを解除する際のロック機構５２の動作の一例について図１３（Ａ）および図１３（Ｂ）を参照して説明する。
【００５２】
図１３（Ａ）に示すように、切断刃５１の引き抜きを行わない場合、つまり、リリースアーム５４ｃ，５４ｄが操作されていない状態では、切断刃５１の凹部５１ｃ，５１ｄのそれぞれにリリースアーム５４ｃ，５４ｄの短辺部が係合するので、切断刃５１がテープガイド４６内の所定位置でロックされる。
【００５３】
図１３（Ｂ）に示すように、切断刃５１の引き抜きを行う場合において、ユーザーによりリリースアーム５４ｃ，５４ｄの長辺部が操作されると、リリースアーム５４ｃ，５４ｄの短辺部が弾性部材５５ａ，５５ｂの付勢力に抗して外側に回動する。これにより、切断刃５１の凹部５１ｃ，５１ｄからリリースアーム５４ｃ，５４ｄのそれぞれが離間した状態となり、切断刃５１のリリースアーム５４ｃ，５４ｄによるロックが解除される。その結果、切断刃５１の引き抜き作業が可能となる。
【００５４】
以上説明したように、第２の実施の形態によれば、上述した第１の実施の形態と同様の作用効果を奏することができる。すなわち、第２の実施の形態によっても、ロック機構５２のリリースアーム５４ｃ，５４ｄをテープガイド４６の前面側に設けるので、ユーザーはリリースアーム５４ｃ，５４ｄを目視しながら切断刃５１の交換作業を行うことができる。これにより、切断刃５１の交換作業の効率化を図ることができる。また、切断刃５１の引き抜き方向Ｄとはずれた位置にリリースアーム５４ｃ，５４ｄを設けるので、リリースアーム５４ｃ，５４ｄを押圧するユーザーの指が切断刃５１の引き抜き方向Ｄに位置することを回避でき、切断刃５１がユーザーの指に当たってしまうことを防止できる。
【００５５】
また、第２の実施の形態によれば、予め位置決めされたリリースアーム５４ｃ，５４ｄにより切断刃５１をロックするので、切断刃５１を装着する際の位置決めを確実に行うことができる。また、テープの切断を効率的に行うことができる最適な位置に切断刃５１を設置できる。これらにより、テープを正確かつ確実に切断することができる。
【００５６】
さらに、第２の実施の形態によれば、リリースアーム５４ｃ，５４ｄによって切断刃５１をロックするので、従来のように板バネや板金で切断刃５１を挟んで保持する場合と比べて、切断刃５１の意図しない抜けを防止することができる。例えば、結束時に誤って切断刃５１に茎や支柱が刺さった場合でも切断刃５１の結束機本体４０からの抜けを確実に防止することができる。
【００５７】
なお、本発明を実施の形態を用いて説明したが、本発明の技術的範囲は、上述した実施の形態に記載の範囲には限定されることはない。本発明の趣旨を逸脱しない範囲で、上述した実施の形態に、多様な変更または改良を加えることが可能である。例えば、上述した実施の形態では、ロック機構５２としてリリースボタン５４やリリースアーム５４ｃ，５４ｄを採用した例について説明したが、これに限定されることはなく、他の公知技術であるロック機構を採用することもできる。
【符号の説明】
【００５８】
１０  クリンチャアーム
４０  結束機本体
４６  テープガイド（案内部）
５０Ａ，５０Ｂ  テープ切断部（切断部）
５１  切断刃（刃）
５２  ロック機構
５４  リリースボタン（操作部）
５４ｃ，５４ｄ  リリースアーム（操作部）
３００  結束物（被結束物）
ＴＰ  テープ
【図１】
0006673042.tif 000002
【図２】
0006673042.tif 000003
【図３】
0006673042.tif 000004
【図４】
0006673042.tif 000005
【図５】
0006673042.tif 000006
【図６】
0006673042.tif 000007
【図７】
0006673042.tif 000008
【図８】
0006673042.tif 000009
【図９】
0006673042.tif 000010
【図１０】
0006673042.tif 000011
【図１１】
0006673042.tif 000012
【図１２】
0006673042.tif 000013
【図１３】
0006673042.tif 000014